(57)【要約】【課題】比較的簡単な構造により基板面に回路の導電部が露出していてもゴキブリ等の害虫の接触による回路の短絡及び破壊を防止することができる回路基板、及び、該回路基板を備えて、害虫が内部に侵入してもバックライト用のインバーター回路の短絡及び破壊が発生しない液晶表示装置を提供する。【解決手段】基板本体２の基板面２ｂに導電部３ａが露出し、導電部３ａを覆い、導電部３ａの周囲の基板面２ｂの部分に接触するように絶縁性のカバー体１０を取り付けてある。液晶パネル２５の背面を照射するバックライト２３を駆動するインバーター回路基板１を、導電部３ａがバックライト２３を収容保持するバックライトシャーシ２０の外面に近接する状態に配置し、インバーター回路基板１の露出する導電部３ａを絶縁性のカバー体１０にて覆っている。【選択図】図１０
2009093156.tif 000002
【特許請求の範囲】
【請求項１】
配線が形成された基板本体の基板面に導電部が露出した回路基板において、
前記導電部を覆い、前記基板面のうち該導電部の周囲に位置する部分に接触するように絶縁性のカバー体を取り付けてあることを特徴とする回路基板。
【請求項２】
前記カバー体は、前記基板面のうち前記導電部の周囲に位置する部分に接触する枠状の突出部を備えている請求項１に記載の回路基板。
【請求項３】
前記カバー体に、前記基板本体の周端面を覆う覆い部を設けている請求項１又は２に記載の回路基板。
【請求項４】
前記導電部は複数配置されており、前記カバー体は、該複数の導電部が配置された前記基板面と該カバー体との間の空間を各導電部に対応した領域に仕切る仕切部を備えている請求項１から３のいずれか１項に記載の回路基板。
【請求項５】
前記覆い部は、前記導電部が露出した前記基板面とは反対側の面に接触するように伸びた係止片を有している請求項３又は４に記載の回路基板。
【請求項６】
前記基板面は、電子部品の非実装面である請求項１から５のいずれか１項に記載の回路基板。
【請求項７】
前記導電部には、商用電源電圧以上の電圧が印加される請求項１から６のいずれか１項に記載の回路基板。
【請求項８】
液晶パネルと、該液晶パネルを背面側から照射するバックライトと、該バックライトを駆動するインバーター回路を搭載したインバーター回路基板とを備え、該インバーター回路基板の基板面に露出した導電部が前記バックライトを収容保持するシャーシの外面に近接する状態に配置されている液晶表示装置において、前記インバーター回路基板を請求項７に記載の回路基板にて構成し、前記導電部を前記カバー体にて覆うようにしてあることを特徴とする液晶表示装置。
【請求項９】
配線が形成された基板面に導電部が露出した基板本体の支持構造において、
前記基板面と対向し、前記基板面のうち前記導電部の周囲に位置する部分に接触又は近接する絶縁性のカバー体に前記基板本体を取り付けてあり、
前記基板面と対向する側とは反対側の前記カバー体の外面に近接した部分に、前記カバー体又は基板本体を支持してあることを特徴とする基板本体の支持構造。
【請求項１０】
前記カバー体は、前記基板面と対向する本体部と、該本体部の全周に連設され、前記導電部の周囲の部分に接触又は近接する枠状の突出部とを有することを特徴とする請求項９に記載の基板本体の支持構造。
【請求項１１】
前記基板面は、電子部品の非実装面であることを特徴とする請求項９又は１０に記載の基板本体の支持構造。
【請求項１２】
前記導電部は、商用電源電圧以上の電圧が印加される高電圧部であることを特徴とする請求項９から１１のいずれか１項に記載の基板本体の支持構造。
【請求項１３】
前記突出部のうち対向位置にある２箇所に通気孔を形成してあることを特徴とする請求項１０から１２のいずれか１項に記載の基板本体の支持構造。
【請求項１４】
前記本体部は矩形板状をなしており、該矩形板の対向する両辺に位置する前記突出部の２箇所に前記通気孔を形成してあることを特徴とする請求項１３に記載の基板本体の支持構造。
【請求項１５】
前記突出部の２箇所の一方に設けた通気孔の総開口面積と他方に設けた通気孔の総開口面積とが異なることを特徴とする請求項１３又は１４に記載の基板本体の支持構造。
【請求項１６】
前記通気孔の孔径が異なることを特徴とする請求項１３から１５のいずれか１項に記載の基板本体の支持構造。
【請求項１７】
前記通気孔の孔径を調整する調整機構を備えていることを特徴とする請求項１３から１６のいずれか１項に記載の基板本体の支持構造。
【請求項１８】
前記突出部は、通気孔を形成した箇所と通気孔を形成していない箇所とを一体成型してあることを特徴とする請求項１３から１７のいずれか１項に記載の基板本体の支持構造。
【請求項１９】
前記本体部と突出部とは一体成型してあることを特徴とする請求項１０から１８のいずれか１項に記載の基板本体の支持構造。
【請求項２０】
表示パネルを収容保持するシャーシと、前記表示パネルを駆動する駆動回路基板とを備え、該駆動回路基板の基板本体の基板面に露出した導電部が前記シャーシの外面に近接する状態に配置されている薄型表示装置において、前記シャーシの外面に前記駆動回路基板の基板本体を請求項１２から１９のいずれか１項に記載の基板本体の支持構造にて支持してあることを特徴とする薄型表示装置。
【請求項２１】
表示パネルの照明用光源を収容保持するシャーシと、前記照明用光源を駆動する駆動回路基板とを備え、該駆動回路基板の基板本体の基板面に露出した導電部が前記シャーシの外面に近接する状態に配置されている薄型表示装置において、前記シャーシの外面に前記駆動回路基板の基板本体を請求項１２から１９のいずれか１項に記載の基板本体の支持構造にて支持してあることを特徴とする薄型表示装置。
【請求項２２】
前記カバー体の外面を前記シャーシの外面に接着してあることを特徴とする請求項２０又は２１に記載の薄型表示装置。
【発明の詳細な説明】
【技術分野】
【０００１】
本発明は、基板面に露出した導電部を保護するようにした回路基板、基板面に導電部が露出した基板本体の支持構造、インバーター回路を有する液晶表示装置、及び、高電圧回路を有する薄型表示装置に関する。
【背景技術】
【０００２】
従来のブラウン管式のテレビでは、奥行き寸法が厚く、内部空間に十分な余裕があったため、キャビネット内の温度上昇とは関係なく、ブラウン管シャーシと電源回路基板との間に安全上必要な絶縁距離を確保できるように１０ｍｍ程度のスペースが空けられていた。しかし、近年、液晶テレビ、ＰＤＰ（プラズマディスプレイパネル）、有機ＥＬ（エレクトロ・ルミネッセンス）テレビ等の薄型表示装置では、薄型化、高画質化、大画面化の進展が著しく、特に薄型化を実現するためには、表示パネル又は照明用光源を収容保持したシャーシとこれに対向配置される回路基板との間隔を狭くする必要があり、そのため、回路基板（高電位側）とシャーシ（アースグランド側）間に絶縁シートを配置して、絶縁距離の問題を解決するようにしてきた。
【０００３】
また薄型表示装置では、大画面化のために、回路基板に搭載される例えばインバーター回路や高圧トランスの駆動電圧が高くなってきており、これに伴い回路からの発熱量が増加するため、回路基板とシャーシとの間の狭い間隙を通して効率良く放熱する構造が求められている。さらに、回路基板とシャーシとの間の狭い間隙にゴキブリ等の小動物が侵入して高電圧部に触れ、死んだ後、小動物の死骸が残留して高電圧部とアース間の絶縁距離が確保できず、トラブルになる可能性があるので、ゴキブリ等の小動物の侵入を防止する構造も求められている。
【０００４】
例えば液晶テレビの例で説明すれば、液晶パネル、液晶パネルを照明するバックライト及び駆動回路の回路基板等が狭い空間に配置され、内部は室温に比べてゴキブリの生息に適度の高温となるため、ゴキブリが好んで生息し繁殖する場所となっている。ゴキブリがバックライト用のインバーター回路基板の基板面に露出した高電圧の導電部と近接配置されているバックライトシャーシとに接触すると、シャーシは接地されているのでインバーター回路と接地間が短絡状態となって過大な電流が流れ、回路が破壊されてしまうおそれがある。基板面に高電圧の導電部と近接して接地部が露出し、ゴキブリが該導電部と接地部とに接触した場合にも同様にインバーター回路と接地間が短絡状態となって過大な電流が流れ、回路素子が破壊されてしまうおそれがある。
【０００５】
従来、ゴキブリなどの害虫及び埃の侵入を防止するために、基板全体を樹脂フィルムからなる袋内に真空封止した回路基板が公知であり（特許文献１参照）、忌避薬剤を含有した塗料を基板面に所定パターンに塗布し熱硬化させた回路基板が公知である（特許文献２参照）。また、バスレフ用ダクト内に虫等の小動物の侵入を防止する部材を配置したバスレフ型スピーカ装置が公知である（特許文献３参照）。さらに、塵埃や虫等の異物の侵入を防止するために、キャビネットに多数の通気孔を設け、該各通気孔に対応して多数の貫通孔を設けた可動板をキャビネットの通気孔に貫通孔が一致する開口位置と一致しない閉塞位置とに移動させる開閉制御手段を備え、動作開始時に開口位置へ移動し、動作停止時に閉塞位置へ移動するようにしたブラウン管式のテレビ受像機が公知である（特許文献４参照）。
【特許文献１】特開２００２−１３４８７４号公報
【特許文献２】特開２０００−４９４４４号公報
【特許文献３】特開２００７−３６９２１号公報
【特許文献４】特開平１１−２１４８７９号公報
【発明の開示】
【発明が解決しようとする課題】
【０００６】
特許文献１に記載の回路基板では、基板全体を樹脂フィルムで覆っているので放熱上の問題があり、また、外部との電気的な接続部はフィルムで覆わないようにする必要があり、製作が面倒な構造であった。特許文献２に記載の回路基板では、害虫の侵入を抑制する効果はあるが、半田付けしてある導電部は露出しているので、該露出した導電部への害虫の接触を完全には防止できなかった。特許文献３に記載のスピーカ装置は、薄型表示装置に設けるスピーカへの虫等の小動物の侵入防止には効果があるとしても、回路基板とシャーシとの間隙に対する小動物の侵入防止には適用が難しい。
【０００７】
特許文献４に記載のテレビ受像機では、通気孔を開閉制御する機構が高価であり、また開口位置のときにはキャビネットの内部で発生した熱が通気孔を通して逃げるので放熱効果はあるが、通気孔から虫等の小動物が侵入し内部の回路基板等に接触してトラブルとなる可能性があり、特に回路基板とシャーシとの間隙への小動物の侵入防止効果は期待し難い。
【０００８】
本発明は、上述したような事情に鑑みてなされたものであり、比較的簡単な構造により基板面に回路の導電部が露出していても害虫の接触による回路の短絡及び破壊を防止することができる回路基板、及び、害虫が内部に侵入してもバックライト用のインバーター回路の短絡及び破壊を防止できる液晶表示装置を提供することを目的とする。
【０００９】
また、本発明は、比較的簡単な構造により、基板面に導電部が露出した基板本体を他物と狭い隙間を隔てて近接配置した状態で確実に支持するとともに、虫等の小動物の侵入防止に有効であり、更に加えて放熱性能に優れた基板本体の支持構造、及び、高電圧回路が配線された基板面に露出した導電部への虫等の小動物の侵入を効果的に排除し、更に加えて高電圧回路の基板本体からの良好な放熱を実現するようにした薄型表示装置を提供することを目的とする。
【課題を解決するための手段】
【００１０】
本発明に係る回路基板は、配線が形成された基板本体の基板面に導電部が露出した回路基板において、前記導電部を覆い、前記基板面のうち該導電部の周囲に位置する部分に接触するように絶縁性のカバー体を取り付けてあることを特徴とする。
本発明によれば、配線が形成された基板本体の基板面に露出した導電部の箇所に害虫が侵入しようとしても、導電部の周囲に位置する基板面の部分に接触して該導電部を覆う絶縁性のカバー体によって排除されるので、露出した導電部に害虫が接触することによる回路の短絡及び破壊を確実に防止することができる。
【００１１】
本発明に係る回路基板は、前述の発明における前記カバー体は、前記基板面のうち前記導電部の周囲に位置する部分に接触する枠状の突出部を備えていることを特徴とする。
本発明によれば、カバー体に備えた枠状の突出部が、基板面に露出した導電部の周囲に位置する基板面の部分に接触するので、基板面との間に隙間が生じにくい状態でカバー体を接触させることができる。突出部の枠の幅を小幅に形成して基板面を覆うカバー体の外形寸法を小さくすることができる。
【００１２】
本発明に係る回路基板は、前述の発明における前記カバー体に、前記基板本体の周端面を覆う覆い部を設けていることを特徴とする。
本発明によれば、仮にカバー体又は基板本体にソリが生じて基板本体の周端部とカバー体との間に隙間ができても、カバー体の覆い部が基板本体の周端面を覆うので、基板本体の周端部とカバー体との間の隙間は該覆い部によって覆われ、害虫の侵入を防止することができる。カバー体の周部に位置する覆い部によってカバー体の剛性を高め、ソリの発生を抑制することができる。またカバー体の回路基板への組付け時に覆い部に基板本体の周端面を当て付けることにより、両者の位置決めを確実になすことができる。
【００１３】
本発明に係る回路基板は、前述の発明における前記導電部は複数配置されており、前記カバー体は、該複数の導電部が配置された前記基板面と該カバー体との間の空間を各導電部に対応した領域に仕切る仕切部を備えていることを特徴とする。
本発明によれば、基板面とカバー体との間の空間を複数の導電部毎の領域に仕切る仕切部を設けたので、該仕切り部によって各導電部の箇所への害虫の侵入をさらに確実に防止することができる。カバー体の内側に位置する仕切部によってカバー体の剛性を高め、ソリの発生を抑制することができる。
【００１４】
本発明に係る回路基板は、前述の発明における前記覆い部は、前記導電部が露出した前記基板面とは反対側の面に接触するように伸びた係止片を有していることを特徴とする。
本発明によれば、導電部が露出した基板面とは反対側の面に接触するように伸びたカバー体の係止片は該面から離れる方向への移動が規制されるので、カバー体が基板面から面に交差する向きに離れて基板本体から外れること、及び、カバー体又は基板本体にソリが生じることが抑制される。
【００１５】
本発明に係る回路基板は、前述の発明における前記基板面は、電子部品の非実装面であることを特徴とする。
本発明によれば、カバー体が覆う基板面は電子部品の非実装面となるので、電子部品を半田付けした導電部が露出していても、カバー体によって該導電部への害虫の接触を的確に排除することができる。
【００１６】
本発明に係る回路基板は、前述の発明における前記導電部には、商用電源電圧以上の電圧が印加されることを特徴とする。
本発明によれば、基板面に露出し、商用電源電圧以上の電圧が印加される導電部は絶縁性のカバー体で覆われ、商用電源電圧以上の電圧が印加されない導電部は基板面に露出してもカバー体で覆わないようにすることができる。
【００１７】
本発明に係る液晶表示装置は、液晶パネルと、該液晶パネルを背面側から照射するバックライトと、該バックライトを駆動するインバーター回路を搭載したインバーター回路基板とを備え、該インバーター回路基板の基板面に露出した導電部が前記バックライトを収容保持するシャーシの外面に近接する状態に配置されている液晶表示装置において、前記インバーター回路基板を前述の発明における回路基板にて構成し、前記導電部を前記カバー体にて覆うようにしてあることを特徴とする。
【００１８】
本発明によれば、バックライトを駆動するインバーター回路の回路基板の基板面に露出し、商用電源電圧以上の電圧が印加される導電部が絶縁性のカバー体にて覆われているので、該導電部がバックライトを収容保持するシャーシの外面に近接配置されていても、侵入した害虫が導電部に接触することが排除され、商用電源電圧以上の電圧が印加されるインバーター回路の導電部が接地されたシャーシと短絡してインバーター回路が破壊されることが防止できる。インバーター回路の回路基板の基板面に商用電源電圧以上の電圧が印加される導電部に近接して接地部が配置されていても、同様に、侵入した害虫が導電部に接触することが排除され、インバーター回路の短絡及び破壊が防止できる。さらに、絶縁性のカバー体の存在により、インバーター回路基板の高電圧部とシャーシ間の距離を安全規格に規定される距離よりも近接させることができる。
【００１９】
本発明に係る基板本体の支持構造は、配線が形成された基板面に導電部が露出した基板本体の支持構造において、前記基板面と対向し、前記基板面のうち前記導電部の周囲に位置する部分に接触又は近接する絶縁性のカバー体に前記基板本体を取り付けてあり、前記基板面と対向する側とは反対側の前記カバー体の外面に近接した部分に、前記カバー体又は基板本体を支持してあることを特徴とする。
本発明によれば、配線が形成された基板面に導電部が露出した基板本体を、露出した導電部の周囲の基板面の部分に接触又は近接する状態で基板面と対向した絶縁性のカバー体に取り付け、該カバー体又は基板本体を基板面と対向する側とは反対側のカバー体の外面に近接した部分に支持してあるので、基板面に導電部が露出した基板本体を他物と狭い隙間を隔てて近接配置する場合に基板本体を確実に支持することができるとともに、導電部に虫等の小動物が侵入しようとしても、基板面に接触又は近接する絶縁性のカバー体によって排除され、導電部に虫等の小動物が接触することによる回路の短絡及び破壊を防止することができる。
【００２０】
本発明に係る基板本体の支持構造は、前述の発明における前記カバー体は、前記基板面と対向する本体部と、該本体部の全周に連設され、前記導電部の周囲の部分に接触又は近接する枠状の突出部とを有することを特徴とする。
本発明によれば、基板面と対向するカバー体の本体部の全周に連設された枠状の突出部が、基板面に露出した導電部の周囲に位置する基板面の部分に接触又は近接するので、カバー体を基板面との間に隙間が生じにくい状態で接触又は近接させることができ、また、突出部の枠の幅を小幅に形成して基板面と対向する本体部の外形寸法を小さくすることができる。
【００２１】
本発明に係る基板本体の支持構造は、前述の発明における前記基板面は、電子部品の非実装面であることを特徴とする。
本発明によれば、カバー体が対向する基板面は電子部品の非実装面となるので、該非実装面に電子部品を半田付けした導電部が露出していても、カバー体によって該導電部への虫等の小動物の侵入を的確に排除することができる。
【００２２】
本発明に係る基板本体の支持構造は、前述の発明における前記導電部は、商用電源電圧以上の電圧が印加される高電圧部であることを特徴とする。
本発明によれば、基板面に露出し、商用電源電圧以上の電圧が印加される高電圧部には絶縁性のカバー体が対向し、露出しても商用電源電圧以上の電圧が印加されない導電部にはカバー体が対向しないようにすることができる。
【００２３】
本発明に係る基板本体の支持構造は、前述の発明における前記突出部のうち対向位置にある２箇所に通気孔を形成してあることを特徴とする。
本発明によれば、対向位置にある突出部の２箇所の一方の通気孔から導入した気体をカバー体内に通流させて他方の通気孔から排出させることができるので、基板本体が他物と狭い隙間を隔てて配置される場合にも、カバー体によって虫等の小動物の侵入を排除しながら、発熱した基板本体を良好に放熱させることができる。
【００２４】
本発明に係る基板本体の支持構造は、前述の発明における前記本体部は矩形板状をなしており、該矩形板の対向する両辺に位置する前記突出部の２箇所に前記通気孔を形成してあることを特徴とする。
本発明によれば、矩形板状をなす本体部の矩形板の対向する両辺の一方に位置する突出部に形成した通気孔から気体を導入し、該対向する両辺の他方に位置する突出部に形成した通気孔までカバー体内を通流させるとき、通流方向と交差する両辺に位置する突出部には通気孔を形成していないので、気体の通流状態が安定すると共に流速が速くなり、放熱効果を高めることができる。特に矩形板の対向する両辺に位置する通気孔を上下方向に配置した場合には煙突効果により、下側の通気孔から導入され、基板本体から熱を受けとって温度が高くなった気体が上昇気流となり、上側の通気孔から排出されるので、放熱効果を更に高めることができる。
【００２５】
本発明に係る基板本体の支持構造は、前述の発明における前記突出部の２箇所の一方に設けた通気孔の総開口面積と他方に設けた通気孔の総開口面積とが異なることを特徴とする。
本発明によれば、対向位置にある突出部の２箇所に設けた通気孔のうち総開口面積が小さい方の通気孔では流速が速くなり、総開口面積が大きい方の通気孔では流速が遅くなるので、総開口面積が大きい方の通気孔から遅い流速で導入した気体を、総開口面積が小さい方の通気孔から速い流速で排出させることにより、放熱効果を高めることができる。特に総開口面積が大きい方の通気孔を下側にし、総開口面積が小さい方の通気孔を上側に配置した場合には煙突効果が大きくなり、放熱効果を高めることができる。
【００２６】
本発明に係る基板本体の支持構造は、前述の発明における前記通気孔の孔径が異なることを特徴とする。
本発明によれば、基板面に露出した導電部のうち特に虫等の小動物の侵入を排除すべき導電部（例えば高電圧が印加される導電部）に近い通気孔の孔径を他の通気孔の孔径より小径にして、当該導電部への虫等の小動物の侵入を効果的に排除することができる。
【００２７】
本発明に係る基板本体の支持構造は、前述の発明における前記通気孔の孔径を調整する調整機構を備えていることを特徴とする。
本発明によれば、調整機構を操作することにより、カバー体が有する枠状の突出部に設けた通気孔の孔径を変更することができる。
【００２８】
本発明に係る基板本体の支持構造は、前述の発明における前記突出部は、通気孔を形成した箇所と通気孔を形成していない箇所とを一体成型してあることを特徴とする。
本発明によれば、通気孔を形成した部分と通気孔を形成していない部分とを各別に作製する場合に比べ、突出部の作製を簡略化できる。
【００２９】
本発明に係る基板本体の支持構造は、前述の発明における前記本体部と突出部とは一体成型してあることを特徴とする。
本発明によれば、本体部と突出部とを有するカバー体が一体成型されているので、本体部と突出部とを各別に作製する場合に比べ、カバー体の作製を簡略化できる。
【００３０】
本発明に係る薄型表示装置は、表示パネルを収容保持するシャーシと、前記表示パネルを駆動する駆動回路基板とを備え、該駆動回路基板の基板本体の基板面に露出した導電部が前記シャーシの外面に近接する状態に配置されている薄型表示装置において、前記シャーシの外面に前記駆動回路基板の基板本体を前述の発明に係る基板本体の支持構造にて支持してあることを特徴とする。
【００３１】
本発明によれば、表示パネルを駆動する駆動回路の配線が形成された基板本体の基板面に露出し、商用電源電圧以上の電圧が印加される導電部が表示パネルを収容保持するシャーシの外面に近接する状態に配置され、該導電部の周囲の基板面の部分に接触又は近接する状態で基板面と対向した絶縁性のカバー体に該駆動回路基板の基板本体が取り付けられ、カバー体又は基板本体が前記シャーシの外面に支持されている。従って、虫等の小動物が侵入して露出した導電部に接触することが排除されるので、商用電源電圧以上の電圧が印加される導電部が接地されたシャーシと短絡して表示パネルの駆動回路が破壊されることが防止できる。表示パネルの駆動回路基板の基板面に商用電源電圧以上の電圧が印加される導電部に近接して露出した接地部が配置されていても、同様に、虫等の小動物が侵入して露出した導電部と接地部とにまたがって接触することが排除され、表示パネルの駆動回路の短絡及び破壊が防止できる。また、絶縁性のカバー体の存在により、表示パネルの駆動回路基板の高電圧部とシャーシ間の距離を安全規格に規定される距離よりも近接させることができる。更に、カバー体の突出部に通気孔を設けた場合には、表示パネルを収容保持するシャーシの外面に近接配置された表示パネルの駆動回路基板の基板本体で発生した熱を放熱することができる。
【００３２】
本発明に係る薄型表示装置は、表示パネルの照明用光源を収容保持するシャーシと、前記照明用光源を駆動する駆動回路基板とを備え、該駆動回路基板の基板本体の基板面に露出した導電部が前記シャーシの外面に近接する状態に配置されている薄型表示装置において、前記シャーシの外面に前記駆動回路基板の基板本体を前述の発明に係る基板本体の支持構造にて支持してあることを特徴とする。
【００３３】
本発明によれば、表示パネルの照明用光源を駆動する駆動回路の配線が形成された基板本体の基板面に露出し、商用電源電圧以上の電圧が印加される導電部が表示パネルの照明用光源を収容保持するシャーシの外面に近接する状態に配置され、該導電部の周囲の基板面の部分に接触又は近接する状態で基板面と対向した絶縁性のカバー体に該駆動回路基板の基板本体が取り付けられ、カバー体又は基板本体が前記シャーシの外面に支持されている。従って、虫等の小動物が侵入して露出した導電部に接触することが排除されるので、商用電源電圧以上の電圧が印加される導電部が接地されたシャーシと短絡して表示パネルの照明用光源の駆動回路が破壊されることが防止できる。表示パネルの照明用光源の駆動回路基板の基板面に商用電源電圧以上の電圧が印加される導電部に近接して露出した接地部が配置されていても、同様に、虫等の小動物が侵入して露出した導電部と接地部とにまたがって接触することが排除され、表示パネルの照明用光源の駆動回路の短絡及び破壊が防止できる。また、絶縁性のカバー体の存在により、表示パネルの照明用光源の駆動回路基板の高電圧部とシャーシ間の距離を安全規格に規定される距離よりも近接させることができる。更に、カバー体の突出部に通気孔を設けた場合には、表示パネルの照明用光源を収容保持するシャーシの外面に近接配置された該照明用光源の駆動回路基板の基板本体で発生した熱を放熱することができる。
【００３４】
本発明に係る薄型表示装置は、前述の発明における前記カバー体の外面を前記シャーシの外面に接着してあることを特徴とする。
本発明によれば、表示パネルを収容保持するシャーシの外面又は表示パネルの照明用光源を収容保持するシャーシの外面に駆動回路基板の基板本体が取り付けられたカバー体の外面を接着しているので、該基板本体の支持構造が簡略化できる。
【発明の効果】
【００３５】
本発明に係る回路基板によれば、基板面に露出した導電部を絶縁性のカバー体で覆うだけの比較的簡単な構造により、基板面に導電部が露出していても害虫の接触による回路の短絡及び破壊を防止することができる回路基板が提供される。
【００３６】
本発明に係る回路基板によれば、カバー体に備えた枠状の突出部を基板面に露出した導電部の周囲に位置する基板面の部分に接触させることにより、カバー体と基板面との間に隙間が生じにくい状態にすることができ、また突出部の枠の幅を小幅に形成することにより、カバー体の外形寸法を小さくすることができる。
【００３７】
本発明に係る回路基板によれば、カバー体に基板本体の周端面を覆う覆い部を設けることにより、基板本体の周端部とカバー体との間に隙間ができても、カバー体の覆い部によって基板本体の周端部とカバー体との間の隙間を覆い、害虫の侵入を防止することができる。該覆い部によってカバー体の剛性を高め、ソリの発生を抑制することができる。またカバー体の回路基板への組付け時に覆い部に基板本体の周端面を当て付け、位置決めが確実にできる。
【００３８】
本発明に係る回路基板によれば、基板面とカバー体との間の空間を複数の導電部毎の領域に仕切る仕切部を設けることにより、各導電部の箇所への害虫の侵入をさらに確実に防止することができ、仕切部によってカバー体の剛性を高め、ソリの発生を抑制することができる。
【００３９】
本発明に係る回路基板によれば、前記覆い部は、前記導電部が露出した前記基板面とは反対側の面に接触するように伸びた係止片を有することにより、該カバー体の係止片は前記基板面とは反対側の面から離れる方向への移動が規制され、カバー体が基板面から離れて基板本体から外れること、及び、カバー体又は基板本体のソリが抑制される。
【００４０】
本発明に係る回路基板によれば、カバー体が覆う基板面を電子部品の非実装面とすることにより、電子部品を半田付けした導電部への害虫の接触を的確に排除し、該電子部品を含む回路の短絡及び破壊を防止することができる。
【００４１】
本発明に係る回路基板によれば、商用電源電圧以上の電圧が印加される導電部は害虫の接触による回路の短絡及び破壊を防止するためにカバー体で覆うことが必要であるが、商用電源電圧よりも低い電圧しか印加されない導電部は害虫の接触による回路の短絡及び破壊の可能性が低いのでカバー体で覆わないように、カバー体で覆う導電部を制限することにより、不必要な導電部までカバー体で覆った場合に放熱が妨げられ、カバー体の材料も無駄に消費される不都合を回避することができる。
【００４２】
本発明に係る液晶表示装置によれば、ゴキブリなどの害虫がバックライト用のインバーター回路基板と、該回路基板の基板面に露出し、商用電源電圧以上の電圧が印加される導電部に近接配置されたシャーシとの狭い空間に侵入しても、インバーター回路基板の基板面に露出する該導電部が絶縁性のカバー体で覆われているので、害虫の接触によるインバーター回路の短絡及び破壊を防止することができる液晶表示装置が提供される。
【００４３】
本発明に係る基板本体の支持構造によれば、基板面に導電部が露出した基板本体を基板面と対向した絶縁性のカバー体に取り付け、該カバー体又は基板本体をカバー体に近接した他物に支持する比較的簡単な構造により、基板面に導電部が露出した基板本体を他物と狭い隙間を隔てて近接配置した状態で確実に支持するとともに、虫等の小動物の侵入防止に有効であり、導電部に虫等の小動物が接触することによる回路の短絡及び破壊を防止することができる基板本体の支持構造が提供される。
【００４４】
本発明に係る基板本体の支持構造によれば、カバー体が有する枠状の突出部を基板面に露出した導電部の周囲に位置する基板面の部分に接触又は近接させることにより、カバー体を基板面との間に隙間が生じにくい状態にして虫等の小動物の侵入を確実に排除することができ、また、突出部の枠の幅を小幅に形成して基板面と対向する本体部の外形寸法を小さくすることができる。
【００４５】
本発明に係る基板本体の支持構造によれば、電子部品の非実装面である基板面に電子部品を半田付けした導電部が露出していても、該導電部への虫等の小動物の侵入を的確に排除し、該電子部品を含む回路の短絡及び破壊を防止することができる。
【００４６】
本発明に係る基板本体の支持構造によれば、商用電源電圧以上の電圧が印加される導電部に対しては虫等の小動物の侵入を排除するためにカバー体を設けるが、商用電源電圧よりも低い電圧しか印加されない導電部は虫等の小動物の侵入による回路の短絡及び破壊の可能性が低いのでカバー体を設けないように、カバー体を設ける範囲を制限することにより、不必要な範囲にカバー体を設けた場合に放熱が妨げられ、カバー体の材料も無駄に消費される不都合を回避することができる。
【００４７】
本発明に係る基板本体の支持構造によれば、カバー体が有する枠状の突出部の対向位置にある２箇所に通気孔を形成してカバー体内に気体を通流させて、カバー体によって虫等の小動物の侵入を排除しながら、発熱した基板本体を気流によって良好に放熱させることができるので、放熱性能に優れた基板本体の支持構造が提供される。
【００４８】
本発明に係る基板本体の支持構造によれば、矩形板状をなす本体部の矩形板の対向する両辺の一辺の通気孔から他辺の通気孔に向かって放熱用の気体をカバー体内に通流させるので、通流状態が安定すると共に流速が速くなり、放熱効果を高めることができる。
【００４９】
本発明に係る基板本体の支持構造によれば、突出部の２箇所の一方と他方とに設ける通気孔の総開口面積を異なるようにすることで、カバー体を通流して排出される気体の流速を速くし、放熱効果を高めることができる。
【００５０】
本発明に係る基板本体の支持構造によれば、通気孔の孔径を異ならせることにより、特定の導電部への虫等の小動物の侵入を効果的に排除することができる。
【００５１】
本発明に係る基板本体の支持構造によれば、通気孔の孔径を特定の用途（例えば国内向け機種と外国向け機種）、条件（例えばカバー体と基板面との間隔の大小）等に適合させて変更することができるので、カバー体を共用してコスト低減が可能となる。
【００５２】
本発明に係る基板本体の支持構造によれば、突出部における通気孔を形成した部分と通気孔を形成していない部分とを一体成型し、突出部の作製を簡略化できる。
【００５３】
本発明に係る基板本体の支持構造によれば、本体部と突出部とを一体成型し、カバー体の作製を簡略化できる。
【００５４】
本発明に係る薄型表示装置によれば、表示パネルを駆動する高電圧の駆動回路基板の基板面に露出した導電部が表示パネルを収容保持するシャーシの外面に近接配置されている場合に、該導電部への虫等の小動物の侵入を効果的に排除して、表示パネルの駆動回路の短絡及び破壊が防止できる薄型表示装置、及び、更に加えて該高電圧の表示パネル駆動回路基板の基板本体からの良好な放熱を実現した薄型表示装置が提供される。
【００５５】
本発明に係る薄型表示装置によれば、表示パネルの照明用光源を駆動する高電圧の駆動回路基板の基板面に露出した導電部が表示パネルの照明用光源を収容保持するシャーシの外面に近接配置されている場合に、該導電部への虫等の小動物の侵入を効果的に排除して、表示パネルの照明用光源の駆動回路の短絡及び破壊が防止できる薄型表示装置、及び、更に加えて該高電圧の照明用光源の駆動回路基板の基板本体からの良好な放熱を実現した薄型表示装置が提供される。
【００５６】
本発明に係る薄型表示装置によれば、表示パネルを収容保持するシャーシの外面又は表示パネルの照明用光源を収容保持するシャーシの外面に、基板本体を取り付けたカバー体の外面を接着することにより、基板本体の支持構造が簡略化できる。
【発明を実施するための最良の形態】
【００５７】
以下、本発明に係る回路基板、及び、該回路基板を備えた液晶表示装置の実施の形態１と、基板本体の支持構造、及び、該基板本体の支持構造を備えた薄型表示装置の実施の形態２とを図面に基づいて説明する。
【００５８】
実施の形態１
図１は本発明の実施の形態１に係る回路基板１を示す正面図、図２は図１のＩＩ−ＩＩ線における断面図、図３は回路基板１の斜視図である。図４は、基板本体２へのカバー体１０の取り付けを示す斜視図である。図１においてカバー体１０を仮想線にて示している。回路基板１は基板本体２とカバー体１０とによって構成される。
【００５９】
矩形状の基板本体２の一方の基板面２ａには、一方の長辺側にインバーター回路の変圧器４，４，４…が長手方向に間隔をあけて一列状に複数実装されている。他方の基板面２ｂには変圧器４，４，４…の端子を該基板面２ｂのプリント配線部に半田付けした導電部３ａが露出し、導電部３ａに近接して接地部３ｂが露出している。該導電部３ａには商用電源電圧以上（具体的には、数ｋＶレベル）の電圧が印加される。各変圧器４，４，４…に対して３個の導電部３ａ及び１個の接地部３ｂが対応し、各変圧器４，４，４…の導電部３ａ及び接地部３ｂは他の変圧器４，４，４…の導電部３ａ及び接地部３ｂと距離を隔てて位置する。基板本体２には各変圧器４，４，４…が搭載される位置にコネクタ挿通用の貫通孔２ｃ，２ｃ，２ｃ…を設け、変圧器４，４，４…の列位置に隣接した位置に長手方向に離間させてカバー体取付け用の３個の取付孔２ｅ，２ｅ，２ｅ…を設けている。図示はしないが、基板面２ａの他の領域には電子部品がプリント配線部に半田付けされている。
【００６０】
図５は、カバー体の正面図である。カバー体１０は、プラスチックの成形品で概略形状が細長い矩形状に形成され、基板面２ｂの複数の導電部３ａ，３ａ，３ａ…及び接地部３ｂ，３ｂ，３ｂ…に対応する領域を含む略矩形状の板部１３を備えている。該板部１３には、複数の導電部３ａ，３ａ，３ａ…の周囲に位置する基板面２ｂの部分に接触する枠状の突出部１１を設けている。板部１３には各変圧器４，４，４…に対応する導電部３ａ及び接地部３ｂが位置する領域と他の変圧器４，４，４…に対応する導電部３ａ及び接地部３ｂが位置する領域とを仕切る仕切部１２，１２，１２…を設けている。該各仕切部１２，１２，１２…は板部１３の短辺に平行に位置して両端にて突出部１１に連なり、突出部１１と組み合わさって枠状をなしている。
【００６１】
板部１３の変圧器４，４，４…が位置する長辺側の外周部と、該長辺に隣接する両短辺側の外周部と、該長辺の外周部から各仕切部１２，１２，１２…の端部までの板部１３の短辺に平行な直線上とに、突出部１１と組み合わさって枠状をなす突出部１７を突出部１１に連なるように設けている。突出部１１及び仕切部１２，１２，１２…は板部１３の約半分の領域に位置し、板部１３の残りの約半分の領域に突出部１７が位置する。板部１３には、基板本体２の各貫通孔２ｃ，２ｃ，２ｃ…と対応する位置にコネクタ案内用の開口１３ａ，１３ａ，１３ａ…が形成されている。
【００６２】
図６は、図５のＶＩ−ＶＩ線における断面図であり、図７は、図５のＶＩＩ−ＶＩＩ線における端面図である。カバー体１０は、変圧器４，４，４…が実装されている側の基板本体２の長辺の外周端面２ｄ、及び該長辺の端部に連なる２つの短辺の一部の外周端面２ｄに対応させて、該３辺の外周端面２ｄを覆う覆い部１４を設けている。該覆い部１４は、板部１３の外周部の突出部１７及び突出部１１の縁部に固着支持され、コの字の枠状に形成されている。覆い部１４は近接する基板本体２の厚さ方向での寸法が基板本体２の厚さよりも大きく形成され、基板本体２の厚さを超えた位置に、導電部３ａ，３ａ，３ａ…が露出した基板面２ｂとは反対の基板面２ａに接触するように該基板面２ａに沿って伸びる複数の係止片１４ａ，１４ａ，１４ａ…を有している。覆い部１４を設けていない板部１３の長辺側外周部の突出部１１には、該突出部１１と面一の状態で基板面２ｂに沿って伸び、正面視にて台形状となる複数の取付部１５，１５，１５…が一体形成されている。該取付部１５，１５，１５…は基板１のカバー体取付け用の取付孔２ｅ，２ｅ，２ｅ…の位置に対応して３個設けられ、夫々貫通孔１５ａ，１５ａ，１５ａ…を有している。
【００６３】
図４に基づいて、基板本体２へのカバー体１０の取り付けについて説明する。カバー体１０の突出部１１，１７と仕切部１２，１２，１２…とが基板本体２の基板面２ｂに接触し、基板本体２の両短辺の外周端面２ｄがカバー体１０の両短辺側の覆い部１４の内周面に接触するように位置合わせして、カバー体１０の係止片１４ａ，１４ａ，１４ａ…が基板面２ａに接触する状態で基板本体２をカバー体１０に対して挿入し、変圧器４，４，４…が実装されている長辺側の外周端面２ｄをカバー体１０の長辺側の覆い部１４に突き当てる。最後にカバー体１０の貫通孔１５ａ，１５ａ，１５ａ…から基板１の取付孔２ｅ，２ｅ，２ｅ…にリベット１６を挿通させ、リベット１６の先端のかしめ処理によりリベット１６が抜け止め状態になり、基板１にカバー体１０が取り付けられる。また、リベットの代わりにプッシュリベット等により固定しても良い。
【００６４】
図８は、本発明の実施の形態１に係るインバーター回路基板１のバックライトシャーシ２０への取り付けを示す斜視図であり、図９はインバーター回路基板１を取り付けたバックライトシャーシ２０を示す斜視図である。バックライトシャーシ２０には、基板本体２の各変圧器４，４，４…の位置に対応させて各変圧器４，４，４…の接続部に嵌合する複数のコネクタ２１，２１，２１…が取り付けてある。基板本体２の外周側の５個所に取付孔２ｆ，２ｆ，２ｆ…が設けてある。バックライトシャーシ２０の側には、基板本体２の各取付孔２ｆ，２ｆ，２ｆ…の位置に対応して所定高さの基板受け２２，２２，２２…が設けられ、各基板受け２２，２２，２２…は雌ネジ部を有している。バックライトシャーシ２０側の各コネクタ２１，２１，２１…をカバー体１０の開口１３ａ，１３ａ，１３ａ…及び基板本体２の貫通孔２ｃ，２ｃ，２ｃ…に通して、各変圧器４，４，４…の接続部に嵌合させ、バックライトシャーシ２０側の各基板受け２２，２２，２２…に基板１の各取付孔２ｆ，２ｆ，２ｆ…を位置合わせした状態で基板１の各取付孔２ｆ，２ｆ，２ｆ…からネジを差し込んで各基板受け２２，２２，２２…の雌ネジ部にネジ結合する。これにより、インバーター回路基板１がバックライトシャーシ２０に基板受け２２，２２，２２…の高さにより定まる間隔を隔てて取り付けられる。
【００６５】
図１０は、本発明の実施の形態１に係るインバーター回路基板１を備えた液晶表示装置の構造を模式的に示す断面図である。各コネクタ２１，２１，２１…はバックライトシャーシ２０の内部に伸びており、夫々蛍光ランプ（バックライト）２３の端子を保持するとともにインバーター回路基板１で発生した駆動電圧を各蛍光ランプ２３に供給するように接続されている。蛍光ランプ２３から液晶表示装置の前面側に向かって、光学シート２４と、液晶パネル２５とが互いの間隔をあけて順番に配置されている。光学シート２４はバックライトシャーシ２０の段部に図示しない留め具にて押し付けて保持してある。液晶パネル２５はベゼル２６によって前面側からバックライトシャーシ２０側の受け部に対して挟み付けて保持してある。ベゼル２６は図示しないネジ等によりバックライトシャーシ２０に固定される。
【００６６】
前述の実施の形態１では、露出した導電部３ａの周囲に位置する基板面２ｂにカバー体１０を接触させるために、枠状の突出部１１をカバー体１０に備えたが、このような突出部ではなく、例えば基板面２ｂに平行になるように屈曲した板部を有し、該板部にて基板面２ｂに接触する板状部材をカバー体１０に備えるようにしてもよい。この構成においては、カバー体１０と基板面２ｂとの接触範囲が広くなり、導電部３ａへの害虫の侵入をさらに良好に排除できる。
【００６７】
前述の実施の形態１では、基板面２ｂに露出した導電部３ａに近接した接地部３ｂについて導電部３ａとともにカバー体１０にて覆うように構成したが、接地部が導電部に近接していないような場合には導電部のみを覆うようにしてもよい。
前述の実施の形態１では、本発明に係る回路基板１がバックライトを駆動するインバーター回路基板であり、露出した導電部３ａには商用電源電圧以上の電圧が印加される場合を示したが、インバーター回路に限らず、基板面に回路の導電部が露出する各種の回路基板に適用することができる。
【００６８】
実施の形態２
図１１は本発明の実施の形態２に係る基板本体の支持構造を備えた薄型表示装置の要部断面図、図１２は図１１の基板本体の支持構造を一部分解した斜視図である。
【００６９】
矩形状の基板本体３１の一方の基板面３２ａに、各種の電子部品３７，３７，３７…が離隔して複数実装されている。他方の基板面３２ｂには電子部品３７，３７，３７…の端子を該基板面３２ｂのプリント配線部に半田付けした導電部３３，３３，３３…が露出している。該導電部３３，３３，３３…には商用電源電圧以上（具体的には、数百ボルト〜数ｋボルト）の電圧が印加される。図示は省略するが、基板面３２ｂには導電部３３，３３，３３…に近接して接地部が露出している。
【００７０】
カバー体３４は、基板本体３１と略同一寸法の矩形の絶縁シート３５と、絶縁シート３５の矩形の全周に位置し、絶縁シート３５の矩形の辺の方向に細長い４個の矩形のシート３６ａ，３６ｂとを有する。各矩形のシート３６ａ，３６ｂは絶縁シート３５の各辺と略同一の長さを有し、絶縁シート３５の面に対して直立している。４個のシート３６ａ，３６ｂのうち、対向する１組の各シート３６ａは全面にハニカム状の通気孔３６ａ１が形成されたメッシュシートであり、対向する他の組の各シート３６ｂは通気孔が形成されていない絶縁シートである。２個のメッシュシート３６ａの夫々は、長手方向に対して両側に位置する各縁部にシート面に直交するように突出した庇３６ａ２を有している。２個のメッシュシート３６ａと２個の絶縁シート３６ｂとは、長手方向の端部同士が接合されて枠状をなすように、プラスチックの一体成型にて作製される。
【００７１】
本実施の形態２では、基板本体３１を含む回路基板３０はバックライト２３の駆動回路基板であり、基板本体３１の支持構造として、基板本体３１を取り付けたカバー体３４をバックライトシャーシ２０の外面に固着手段により固定している。具体的には、カバー体３４の矩形の絶縁シート３５を接着テープ３８によってバックライトシャーシ２０の外面に接着し、また該絶縁シート３５に対して、メッシュシート３６ａと絶縁シート３６ｂとの一体成型品をメッシュシート３６ａの庇３６ａ２に配した接着テープ３８によって接着し、さらに導電部３３，３３，３３…が露出した基板面３２ｂを絶縁シート３５の方に向け、導電部３３，３３，３３…がメッシュシート３６ａと絶縁シート３６ｂとで囲まれる領域内に位置するように位置合わせし、メッシュシート３６ａの庇３６ａ２と基板面３２ｂとを接着テープ３８によって接着している。
なお、固着手段としては接着テープに限定されず、接着剤やネジ等の固定手段を用いてもよい。
【００７２】
前記２個のメッシュシート３６ａに形成する通気孔３６ａ１の総開口面積は同一でもよいが、異なるようにしてもよい。例えば、２個のメッシュシート３６ａを液晶表示装置内で上下方向で対向するように配置し、上側に位置するメッシュシート３６ａの通気孔３６ａ１の総開口面積を下側に位置するメッシュシート３６ａの通気孔３６ａ１の総開口面積より小さくして、全体的な放熱構造としての煙突構造を形成し、上側の通気孔３６ａ１での流速を速くすることができる。
【００７３】
前記通気孔３６ａ１の孔径はメッシュシート３６ａの全面で同一にしてもよいが、場所によって異なるようにしてもよい。例えば、特に高電圧が印加される電子部品の導電部３３に近接した通気孔３６ａ１の孔径を小径にして、虫等の侵入を抑制するようにしてもよい。
【００７４】
前述の実施の形態２では、メッシュシート３６ａに庇３６ａ２を設けたが、絶縁シート３６ｂに、あるいはメッシュシート３６ａ及び絶縁シート３６ｂの両方に庇を設けるようにしてもよい。
【００７５】
前述の実施の形態２では、メッシュシート３６ａと絶縁シート３６ｂとを一体成型したが、メッシュシート３６ａと絶縁シート３６ｂとにさらに絶縁シート３５を含めて一体成型するようにしてもよい。
【００７６】
前述の実施の形態２では、通気孔３６ａ１をハニカム状に形成したが、これ以外に、丸孔、角孔、長孔等、種々の形状の孔に形成してもよい。
【００７７】
前述の実施の形態２では、メッシュシート３６ａに形成された通気孔３６ａ１の孔径を変更することはできないが、通気孔の孔径を変更する調整機構を設けてもよい。図１３は通気孔の調整機構の一例を示す断面図と正面図である。具体的には、シート長手方向に所定間隔を隔てて菱形の開口４０ａ，４１ａを複数形成した２枚の細長い矩形のシート４０，４１を密着させて長手方向にスライド可能に組み付け、両シート４０，４１の開口４０ａ，４１ａが重なった部分を通気孔とし、両シート４０，４１をスライドさせて両方の開口４０ａ，４１ａが重なる面積を変化させて孔径が変更されるように構成している。図１３には、シート４１がシート４０に対して左にスライドし、孔径が大から小に変更される状態を示す。
【００７８】
前述の実施の形態２では、基板本体３１の支持構造として、基板本体３１を取り付けたカバー体３４をバックライトシャーシ２０の外面に接着したが、この他に、カバー体３４に取り付けた基板本体３１のカバー体３４よりも外側の箇所をネジ等の固定具によってバックライトシャーシ２０の外面に固定するようにしてもよい。
【００７９】
前述の実施の形態２では、本発明に係る基板本体の支持構造を、液晶表示装置において表示パネル２５を照明するバックライト２３の駆動回路基板３０を近接したバックライトシャーシ２０の外面に支持する場合に適用したが、例えば、ＰＤＰ（プラズマディスプレイパネル）、有機ＥＬ（エレクトロ・ルミネッセンス）テレビ、ＳＥＤ（Ｓｕｒｆａｃｅ−ｃｏｎｄｕｃｔｉｏｎ  Ｅｌｅｃｔｒｏｎ−ｅｍｉｔｔｅｒ  Ｄｉｓｐｌａｙ）テレビ、ＬＥＤ（Ｌｉｇｈｔ  Ｅｍｉｔｔｉｎｇ  Ｄｉｏｄｅ）ディスプレイなどの自発光型の薄型表示装置において、表示パネルを収容保持するシャーシの外面に表示パネルを駆動する駆動回路基板を近接して支持する場合にも適用できる。
【図面の簡単な説明】
【００８０】
【図１】本発明の実施の形態１に係る回路基板を示す正面図である。
【図２】図１のＩＩ−ＩＩ線における断面図である。
【図３】本発明の実施の形態１に係る回路基板の斜視図である。
【図４】基板本体へのカバー体の取り付けを示す斜視図である。
【図５】カバー体の正面図である。
【図６】図５のＶＩ−ＶＩ線における断面図である。
【図７】図５のＶＩＩ−ＶＩＩ線における端面図である。
【図８】本発明の実施の形態１に係るインバーター回路基板のシャーシへの取り付けを示す斜視図である。
【図９】本発明の実施の形態１に係るインバーター回路基板を取り付けたシャーシを示す斜視図である。
【図１０】本発明の実施の形態１に係るインバーター回路基板を備えた液晶表示装置の構造を示す断面図である。
【図１１】本発明の実施の形態２に係る基板本体の支持構造を備えた薄型表示装置の要部断面図である。
【図１２】図１１の基板本体の支持構造を一部分解した斜視図である。
【図１３】通気孔の調整機構を示す断面図と正面図である。
【符号の説明】
【００８１】
１        回路基板（インバーター回路基板）
２        基板本体
２ａ      基板面
２ｂ      基板面（非実装面）
３ａ      導電部
１０      カバー体
１１      突出部
１２      仕切部
１４      覆い部
１４ａ    係止片
２０      バックライトシャーシ（シャーシ）
２３      バックライト（照明用光源）
２５      液晶パネル（表示パネル）
３０      回路基板
３１      基板本体
３２ａ    基板面
３２ｂ    基板面（非実装面）
３３      導電部
３４      カバー体
３５      絶縁シート（本体部）
３６ａ    メッシュシート（突出部）
３６ａ１  通気孔
３６ｂ    絶縁シート（突出部）
４０      シート（調整機構）
４０ａ    開口（調整機構）
４１      シート（調整機構）
４１ａ    開口（調整機構）
【図１】
2009093156.tif 000003
【図２】
2009093156.tif 000004
【図３】
2009093156.tif 000005
【図４】
2009093156.tif 000006
【図５】
2009093156.tif 000007
【図６】
2009093156.tif 000008
【図７】
2009093156.tif 000009
【図８】
2009093156.tif 000010
【図９】
2009093156.tif 000011
【図１０】
2009093156.tif 000012
【図１１】
2009093156.tif 000013
【図１２】
2009093156.tif 000014
【図１３】
2009093156.tif 000015